(57)【要約】【課題】  プロジェクタによる投写画像の画質を向上させる。【解決手段】  プロジェクタ１０は、着脱可能な光学フィルタ６０を備える。この光学フィルタ６０は、投写光の緑の色光の強度を弱める透過率特性を有する。画像処理部２０は、光学フィルタ６０が装着されているか否かに応じて、記憶部２６に予め用意されているルックアップテーブルを切換えて、色補正処理を実行する。【選択図】  図１
2005301317.tif 000002
【特許請求の範囲】
【請求項１】
画像を投写するプロジェクタであって、
入力された原画像データに対して画像処理を施す画像処理部と、
前記画像処理が施された画像データに基づいて画像を形成する画像形成部と、
所定の発光スペクトルを有する照明光を用いて、前記画像形成部に形成された画像を投写する投写光学系と、
前記投写光学系に着脱可能であって、前記照明光の発光スペクトルのうちで前記画像の投写に供する波長領域の少なくとも一部のスペクトル強度を弱めるための光学フィルタと、を備え、
前記画像処理部は、前記光学フィルタの着脱に伴う前記スペクトル強度の変化を考慮した画像処理を施す、プロジェクタ。
【請求項２】
請求項１記載のプロジェクタであって、
前記画像処理は、色補正処理である、プロジェクタ。
【請求項３】
請求項１記載のプロジェクタであって、
前記画像の投写に供する波長領域は、赤色光、緑色光、青色光に対応する波長領域であり、
光学フィルタは、前記赤色光、緑色光、青色光に対応する波長領域のうちで緑色光に対応する波長領域のスペクトル強度の低減率が最も高い光学フィルタである、プロジェクタ。
【請求項４】
請求項１記載のプロジェクタであって、
前記画像処理部は、
前記光学フィルタに応じて前記画像処理に用いられるパラメータを記憶する記憶部と、
前記光学フィルタを特定するための特定情報を入力する特定情報入力部と、
前記特定情報に応じて前記パラメータを切換えるための画像処理制御部と、
を備えるプロジェクタ。
【請求項５】
請求項４記載のプロジェクタであって、
前記光学フィルタは、前記特定情報を保持する特定情報部を備えており、
前記画像処理制御部は、前記特定情報部から取得した特定情報に基づいて前記パラメータを切換える、プロジェクタ。
【請求項６】
請求項１記載のプロジェクタであって、
前記投写光学系は、投写レンズを備えており、
前記光学フィルタは、前記投写レンズの外部に着脱可能である、プロジェクタ。
【請求項７】
画像を投写するプロジェクタであって、
入力された原画像データに対して画像処理を施す画像処理部と、
前記画像処理が施された画像データに基づいて画像を形成する画像形成部と、
前記画像形成部に形成された画像を投写する投写光学系と、
前記投写光学系に着脱可能であって、該投写光学系の光学特性を変更可能な光学部材と、を備え、
前記画像処理部は、前記光学部材の着脱に伴う前記光学特性の変化に応じた画像処理を施す、プロジェクタ。
【請求項８】
請求項７記載のプロジェクタであって、
前記光学部材は、前記投写光学系の投写範囲を変更する作用を有する部材であり、
前記画像処理は、シャープネス調整処理である、プロジェクタ。
【請求項９】
請求項７記載のプロジェクタであって、
前記画像処理部は、
前記光学部材に応じて前記画像処理に用いられるパラメータを記憶する記憶部と、
前記光学部材を特定するための特定情報を入力する特定情報入力部と、
前記特定情報に応じて前記パラメータを切換えるための画像処理制御部と、
を備えるプロジェクタ。
【請求項１０】
請求項９記載のプロジェクタであって、
前記光学部材は、前記特定情報を保持する特定情報部を備えており、
前記画像処理制御部は、前記特定情報部から取得した特定情報に基づいて前記パラメータを切換える、プロジェクタ。
【請求項１１】
所定の発光スペクトルを有する照明光を用いて画像を投写するプロジェクタで投写される画像データを処理する画像処理方法であって、
（ａ）投写すべき原画像データを入力する工程と、
（ｂ）前記照明光の発光スペクトルのうちで前記画像の投写に供する波長領域の少なくとも一部のスペクトル強度を弱めるための光学フィルタが前記プロジェクタに装着されているか否かを検出する工程と、
（ｃ）前記原画像データに対して、前記光学フィルタの着脱に伴う前記スペクトル強度の変化を考慮した画像処理を施す工程と、
を備える画像処理方法。
【請求項１２】
所定の光学特性を有する投写光学系を備え、画像を投写するプロジェクタで投写される画像データを処理する画像処理方法であって、
（ａ）投写すべき原画像データを入力する工程と、
（ｂ）前記投写光学系の光学特性を変更可能な光学部材が前記プロジェクタに装着されているか否かを検出する工程と、
（ｃ）前記原画像データに対して、前記光学部材の着脱に伴う前記光学特性の変化に応じた画像処理を施す工程と、
を備える画像処理方法。
【請求項１３】
所定の発光スペクトルを有する照明光を用いて画像を投写するプロジェクタで投写される画像データを処理するためのコンピュータプログラムであって、
投写すべき原画像データを取得する機能と、
前記照明光の発光スペクトルのうちで前記画像の投写に供する波長領域の少なくとも一部のスペクトル強度を弱めるための光学フィルタが前記プロジェクタに装着されているか否かを検出する機能と、
前記原画像データに対して、前記光学フィルタの着脱に伴う前記スペクトル強度の変化を考慮した画像処理を施す機能と、
をコンピュータに実現させるためのコンピュータプログラム。
【請求項１４】
所定の光学特性を有する投写光学系を備え、画像を投写するプロジェクタで投写される画像データを処理するためのコンピュータプログラムであって、
投写すべき原画像データを取得する機能と、
前記投写光学系の光学特性を変更可能な光学部材が前記プロジェクタに装着されているか否かを検出する機能と、
前記原画像データに対して、前記光学部材の着脱に伴う前記光学特性の変化に応じた画像処理を施す機能と、
をコンピュータに実現させるためのコンピュータプログラム。
【請求項１５】
請求項１３または１４記載のコンピュータプログラムをコンピュータ読み取り可能に記録した記録媒体。
【発明の詳細な説明】
【技術分野】
【０００１】
本発明は、プロジェクタの光学系の変更に応じた画像処理に関する。
【背景技術】
【０００２】
プロジェクタは、使用目的に応じて、いわゆるデータプロジェクタとビデオプロジェクタとに大別される。これらは、それぞれ要求される性能が異なる。
【０００３】
データプロジェクタは、パーソナルコンピュータ等の情報端末から受信した画像信号に基づいて、画像を投写するプロジェクタである。このタイプのプロジェクタは、会議室や講堂等の比較的明るい場所で、主としてプレゼンテーション用に使用される。このため、投写画像について、明るさが要求されている。これに対し、ビデオプロジェクタは、ＡＶ機器等から受信した映像信号に基づいて、テレビや映画等の映像を投写するプロジェクタである。このタイプのプロジェクタは、照明を暗くした室内等の比較的暗い場所で、主として映像鑑賞用に使用される。このため、投写画像について、明るさよりも色バランスやコントラスト等の画質の良さが要求されている。
【０００４】
ところで、プロジェクタ用の光源ランプには、高演色性、高輝度の観点から、超高圧水銀ランプ、メタルハライドランプ、キセノンランプ等の放電ランプが用いられる。図１０は、超高圧水銀ランプの発光スペクトルを示す説明図である。プロジェクタは、この照明光を赤色光（Ｒ）、緑色光（Ｇ）、青色光（Ｂ）の各成分に分離し、それぞれの照明光をライトバルブによって変調して画像を投写する。照明光は、例えば、４００〜５００（ｎｍ）の波長領域の青色成分と、５００〜６００（ｎｍ）の波長領域の緑色成分と、６００〜７００（ｎｍ）の波長領域の赤色成分とに区分して利用することができる。
【０００５】
一般に、プロジェクタは、データプロジェクタとしての使用頻度が高い。従って、投写画像の明るさを高めるために視感度が高い緑色成分の照明光を多く利用する傾向にある。このため、投写画像は、Ｒ，Ｇ，Ｂの色バランスが悪かった。
【０００６】
従来、かかるデータプロジェクタを、ビデオプロジェクタとして用いる場合には、緑に対応する画像データの階調値を、データプロジェクタとして用いる場合の値の例えば０．８倍として色バランスを調整していた。つまり、図１０に一点鎖線で示したように液晶パネルの駆動によって緑色光の強度を低下させ、色バランスを調整していた。
【発明の開示】
【発明が解決しようとする課題】
【０００７】
しかし、ライトバルブとして液晶パネルを用いたプロジェクタにおいて、上述した色バランスの調整を行った場合、投写画像に十分なコントラスト比が得られなかった。コントラスト比は、全白の画像を投写したときの明るさと、全黒の画像を投写したときの明るさとの比で表される。
【０００８】
図１１は、Ｒ，Ｇ，Ｂの入力階調値が等しいグレー階調の画像を投写するときの入力階調値と明るさとの関係を示す説明図である。実線Ｌ１は、上述した色バランスの調整を行わない場合の入力階調値と明るさとの関係を、一点鎖線Ｌ２は、調整を行う場合の入力階調値と明るさとの関係をそれぞれ表している。上述した色バランスの調整を行わない場合のコントラスト比は、Ｂ１／Ｂ０であり、調整を行う場合のコントラスト比はＢ２／Ｂ０である。図から分かるように、上述した色バランスの調整方法では、全白の画像を投写したときの明るさがＢ１からＢ２に低下するにも関わらず、全黒の画像を投写したときの明るさはＢ０のまま変化しない。液晶パネルは、その特性上、全黒を表現するために全ライトバルブを閉じていても、照明光がライトバルブをわずかに透過してしまうからである（図１０の二点鎖線参照）。このことは、上述した色バランスの調整方法では、コントラスト比が低下することを意味している。
【０００９】
つまり、従来、ライトバルブとして液晶パネルを用いたプロジェクタによる投写画像において、色バランスの調整とコントラスト比との両立は困難だった。
【００１０】
また、上述した色バランスの調整では、黒あるいは低階調の投写画像においては、色バランスの調整が不十分だった。例えば、上述した色バランスの調整を行った場合でも、投写画像において黒を表現するときには、調整を行わない場合と明るさが同じであり、照明光の緑色成分を多く利用するので、黒が緑みのグレーで表現されてしまっていた。
【００１１】
本発明は、上述の課題を解決するためになされたものであり、プロジェクタによる投写画像の画質を向上させることを目的とする。
【課題を解決するための手段】
【００１２】
上述の課題の少なくとも一部を解決するため、本発明では、以下の構成を採用した。
本発明の第１のプロジェクタは、
画像を投写するプロジェクタであって、
入力された原画像データに対して画像処理を施す画像処理部と、
前記画像処理が施された画像データに基づいて画像を形成する画像形成部と、
所定の発光スペクトルを有する照明光を用いて、前記画像形成部に形成された画像を投写する投写光学系と、
前記投写光学系に着脱可能であって、前記照明光の発光スペクトルのうちで前記画像の投写に供する波長領域の少なくとも一部のスペクトル強度を弱めるための光学フィルタと、を備え、
前記画像処理部は、前記光学フィルタの着脱に伴う前記スペクトル強度の変化を考慮した画像処理を施すことを要旨とする。
【００１３】
先に説明したように、従来、ライトバルブとして液晶パネルを用いたプロジェクタでは、画像処理によって投写画像の色バランスの調整を行っていたため、コントラスト比の低下を招いていた。本発明のプロジェクタは、投写光学系に着脱可能であって、照明光の発光スペクトルのうちで画像の投写に供する波長領域の少なくとも一部のスペクトル強度を弱めるための光学フィルタを備えている。この光学フィルタを用いることによって、投写画像の色バランスを調整することができる。更に、光学フィルタによって、投写画像における黒の明るさを従来よりも暗くすることができるので、先に説明したコントラストの低下を抑制することができる。また、光学フィルタは、投写光学系に着脱可能であるので、色バランスよりも明るさが要求されるときには、取り外して利用することができる。
【００１４】
また、本発明のプロジェクタにおいて、光学フィルタを装着した場合と装着しない場合とでは、画像の投写に供する投写光のスペクトル強度が異なるので、投写画像の色バランスが異なる。本発明のプロジェクタでは、画像処理部において、光学フィルタが装着されているか否かに応じて、投写光のスペクトル強度の変化を考慮して、原画像データに対して、適切な画像処理を施すことができる。この結果、色バランスとコントラスト比とを両立させ、投写画像の画質を向上させることができる。
【００１５】
本発明の第１のプロジェクタにおいて、画像処理として種々の処理を適用可能であるが、例えば、
前記画像処理は、色補正処理であることが好ましい。
【００１６】
こうすることによって、投写画像の色再現性を向上させることができる。
【００１７】
本発明の第１のプロジェクタにおいて、
前記画像の投写に供する波長領域は、赤色光、緑色光、青色光に対応する波長領域であり、
光学フィルタは、前記赤色光、緑色光、青色光に対応する波長領域のうちで緑色光に対応する波長領域のスペクトル強度の低減率が最も高い光学フィルタであることが好ましい。
【００１８】
ここで、「緑色光に対応する波長領域のスペクトル強度の低減率が最も高い」とは、投写光学系から射出される投写光において、緑色光の強度の低減率が最も高いことを意味している。従って、光学フィルタ単体の特性において、緑色光の強度の低減率が最も高いとは限らない。
【００１９】
先に説明したように、一般に、液晶パネルをライトバルブとして用いたプロジェクタの照明光は、緑色光が強い傾向にある。従って、緑色光のスペクトル強度を低減することによって、コントラスト比を維持したまま、色バランスの調整を効果的に行うことができる。更に、黒あるいは低階調の投写画像が緑がかって表現されてしまうという従来の課題を解消することもできる。
【００２０】
本発明の第１のプロジェクタにおいて、
前記画像処理部は、
前記光学フィルタに応じて前記画像処理に用いられるパラメータを記憶する記憶部と、
前記光学フィルタを特定するための特定情報を入力する特定情報入力部と、
前記特定情報に応じて前記パラメータを切換えるための画像処理制御部と、
を備えるようにすることができる。
【００２１】
ここで、「画像処理に用いられるパラメータ」としては、例えば、画像データの入力階調値と画像形成部への出力階調値との関係を表したルックアップテーブルや、関数などが挙げられる。また、画像処理に用いられるパラメータには、色補正以外の画像処理に用いられるパラメータも含まれ得る。「特定情報」としては、例えば、光学フィルタの型番を用いることができる。本発明のプロジェクタでは、特定情報によって光学フィルタを特定し、これに応じて適切な画像処理を施すことができる。
【００２２】
上記プロジェクタにおいて、特定情報入力部への特定情報の入力は、手動で行うものとしてもよいが、
前記光学フィルタは、前記特定情報を保持する特定情報部を備えており、
前記画像処理制御部は、前記特定情報部から取得した特定情報に基づいて前記パラメータを切換えるようにすることが好ましい。
【００２３】
こうすることによって、特定情報入力部は、光学フィルタの特定情報部から自動的に特定情報を取得し、画像処理制御部は、これに基づいて、パラメータを切換えるようにすることができる。この結果、プロジェクタの利便性を向上させることができる。なお、「特定情報部」としては、ＩＣチップや、光学フィルタごとに固有の配列で設けられた電極などを用いることができる。
【００２４】
本発明の第１のプロジェクタにおいて、光学フィルタは、その特性に応じて投写光学系の中のいくつかの箇所、例えば、プロジェクタの内部に着脱可能なようにすることができるが、
前記投写光学系は、投写レンズを備えており、
前記光学フィルタは、前記投写レンズの外部に着脱可能であることが好ましい。
【００２５】
こうすることによって、プロジェクタの内部の構成をコンパクトにすることができる。また、光学フィルタの着脱をユーザによって容易に行うことができる。
【００２６】
上述した光学フィルタの着脱に応じた画像処理は、一般に、投写光学系の光学特性の変更に応じた画像処理として適用可能である。即ち、例えば、投写距離などの設置条件に応じて、超広角レンズ、望遠レンズなど種々の投写レンズ、その他の光学部材を着脱可能なプロジェクタに適用することができる。
【００２７】
本発明の第２のプロジェクタは、
画像を投写するプロジェクタであって、
入力された原画像データに対して画像処理を施す画像処理部と、
前記画像処理が施された画像データに基づいて画像を形成する画像形成部と、
前記画像形成部に形成された画像を投写する投写光学系と、
前記投写光学系に着脱可能であって、該投写光学系の光学特性を変更可能な光学部材と、を備え、
前記画像処理部は、前記光学部材の着脱に伴う前記光学特性の変化に応じた画像処理を施すことを要旨とする。
【００２８】
こうすることによって、光学部材を着脱したときに、投写光学系の光学特性の変化に応じて、原画像データに対して、適切な画像処理を施すことができる。
【００２９】
本発明の第２のプロジェクタにおいて、画像処理として種々の処理を適用可能であるが、例えば、
前記光学部材は、前記投写光学系の投写範囲を変更する作用を有する部材であり、
前記画像処理は、シャープネス調整であることが好ましい。
【００３０】
投写範囲を変更する作用を有する光学部材としては、例えば、超広角レンズなどの投写レンズが挙げられる。投写レンズの交換は、プロジェクタからスクリーンまでの投写距離の変更によって行われる。投写レンズの交換によって投写範囲や焦点距離が変わると、好ましいシャープネス調整の程度も変わる。本発明のプロジェクタでは、投写レンズ等の光学部材の交換により投写光学系の光学特性が変化したときに、それに応じて適切にシャープネス調整を施すことができる。
【００３１】
本発明の第２のプロジェクタにおいて、
前記画像処理部は、
前記光学部材に応じて前記画像処理に用いられるパラメータを記憶する記憶部と、
前記光学部材を特定するための特定情報を入力する特定情報入力部と、
前記特定情報に応じて前記パラメータを切換えるための画像処理制御部と、
を備えるようにすることができる。
【００３２】
こうすることによって、特定情報によって光学部材を特定し、これに応じて適切な画像処理を施すことができる。なお、「画像処理に用いられるパラメータ」としては、上述したシャープネス調整に用いられるパラメータや、他の画像処理に用いられるパラメータが挙げられる。
【００３３】
本発明の第２のプロジェクタにおいて、特定情報入力部への特定情報の入力は、手動で行うものとしてもよいが、
前記光学部材は、前記特定情報を保持する特定情報部を備えており、
前記画像処理制御部は、前記特定情報部から取得した特定情報に基づいて前記パラメータを切換えるようにすることが好ましい。
【００３４】
こうすることによって、特定情報入力部は、光学部材の特定情報部から自動的に特定情報を取得し、画像処理制御部は、これに基づいて、パラメータを切換えるようにすることができる。この結果、プロジェクタの利便性を向上させることができる。
【００３５】
本発明は、上述のプロジェクタとしての構成の他、プロジェクタによって投写される画像の画像処理方法の発明として構成することもできる。また、これらを実現するコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００３６】
本発明をコンピュータプログラムまたはそのプログラムを記録した記録媒体等として構成する場合には、プロジェクタを駆動するプログラム全体として構成するものとしてもよいし、本発明の機能を果たす部分のみを構成するものとしてもよい。また、記録媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００３７】
以下、本発明の実施の形態について、実施例に基づき以下の順で説明する。
Ａ．プロジェクタの構成：
Ｂ．光学フィルタ：
Ｃ．画像処理：
Ｄ．第２実施例：
Ｅ．変形例：
【００３８】
Ａ．プロジェクタの構成：
図１は、本発明の第１実施例としてのプロジェクタ１０の概略構成を示す説明図である。プロジェクタ１０は、レシーバ１２と、画像処理部２０と、液晶パネル駆動部３０と、液晶パネルとを備えている。プロジェクタ１０は、また、液晶パネル３２を照明するための照明装置５２や、液晶パネル３２を透過した透過光をスクリーンＳＣ上に投写するための投写レンズ５４や、後述する他の光学系を有する投写光学系５０を備えている。投写レンズ５４には、光学フィルタ６０を着脱することが可能である。光学フィルタ６０は、ユーザがプロジェクタ１０によって映像を投写し、鑑賞するときに装着するものである。この光学フィルタ６０は、光学フィルタを特定するための特定情報を保持した特定情報部７０を備えている。光学フィルタ６０の特性については後述する。
【００３９】
レシーバ１２は、図示しないパーソナルコンピュータ等の情報端末から供給されるアナログ画像信号あるいはディジタル画像信号や、ＡＶ機器等から供給される映像信号ＶＳを入力し、画像処理部２０で処理可能な形式の画像データに変換する。
【００４０】
画像処理部は、特定情報入力部２２と、画像処理制御部２４と、記憶部２６と、を備えている。特定情報入力部２２は、光学フィルタ６０が投写レンズ５４に装着されているときに、特定情報部７０から特定情報を自動取得する。本実施例では、光学フィルタ６０の特定情報部７０は、電極によって構成されている。特定情報入力部２２は、この電極によって回路が短絡になっているか、あるいは、開放になっているかに応じて、光学フィルタ６０が装着されているか否かを自動検出することができる。ユーザが光学フィルタ６０を装着したか否かを入力するためのスイッチを設け、このスイッチによって特定情報を手動で入力するようにしてもよい。また、ユーザがリモートコントローラによって、光学フィルタ６０を装着したか否かを入力するようにしてもよい。
【００４１】
記憶部２６は、投写レンズ５４に光学フィルタ６０が装着されているか否かに応じて使い分けられるルックアップテーブルを記憶している。このルックアップテーブルは、画像データの入力階調値と液晶パネル駆動部３０への出力階調値との関係がＲ，Ｇ，Ｂごとに記録された一次元のルックアップテーブルであり、色補正処理に用いられる。画像処理制御部２４は、特定情報に応じてルックアップテーブルを使い分ける。また、画像処理制御部２４は、レシーバ１２に入力される画像信号が、パーソナルコンピュータ等の情報端末から受信した画像信号であるか、あるいは、ＡＶ機器等から受信した映像信号であるかによってもルックアップテーブルを使い分ける。このルックアップテーブルの使い分けについては後述する。画像処理部２０は、上述した色補正処理の他に、画像データに対して、輝度調整、コントラスト調整、シャープネス調整などの画質調整や、プロジェクタ１０によってあおり投写を行うときの台形歪補正等の各種画像処理を施す機能も有している。
【００４２】
液晶パネル駆動部３０は、画像処理部２０で生成された画像データに基づいて、液晶パネル３２を駆動するための駆動信号を生成する。
【００４３】
液晶パネル３２は、液晶パネル駆動部３０で生成された駆動信号に応じて照明光を変調する。液晶パネル３２は、透過型の液晶パネルであり、照明装置５２から射出された照明光を変調するライトバルブ（光変調器）として使用されている。液晶パネル３２は、本発明の画像形成部に相当する。
【００４４】
図２は、プロジェクタ１０の投写光学系５０の構成を示す説明図である。投写光学系５０は、照明光学系１００と、色光分離光学系２００と、リレー光学系２２０と、３枚のフィールドレンズ３１２，３１４，３１６と、３枚の液晶ライトバルブ３２２，３２４，３２６と、クロスダイクロイックプリズム５２０と、投写レンズ系５４０と、光学フィルタ６０とを備えている。
【００４５】
照明光学系１００は、超高圧水銀ランプ５６と放物面鏡５８とを有する照明装置５２と、第１のレンズアレイ１２０と、第２のレンズアレイ１４０と、偏光変換素子１６０と、重畳レンズ１８０とを備えている。
【００４６】
色光分離光学系２００は、ダイクロイックミラー２１０，２１２と、反射ミラー２１４とを備えている。ダイクロイックミラー２１０は、赤（Ｒ）の色光を透過するとともに、緑（Ｇ）、青（Ｇ）の色光を反射する。ダイクロイックミラー２１２は、青（Ｂ）の色光を透過するとともに、緑（Ｇ）の色光を反射する。
【００４７】
リレー光学系２２０は、入射レンズ２２６と、反射ミラー２２２，２２４と、リレーレンズ２２８とを備えている。
【００４８】
照明光学系１００から射出された照明光は、色光分離光学系２００において赤（Ｒ）、緑（Ｇ）、青（Ｂ）の３色の色光に分離される。分離された各色光は、液晶ライトバルブ３２２，３２４，３２６によって画像データに応じて変調される。液晶ライトバルブ３２２，３２４，３２６によって変調された３色の色光は、クロスダイクロイックプリズム５２０で合成され、投写レンズ系５４０によってスクリーンＳＣ上に投写される。これにより、スクリーンＳＣ上にカラー画像が表示されることとなる。
【００４９】
Ｂ．光学フィルタ：
光学フィルタ６０は、スクリーンＳＣに投写される投写光のうちの緑の色光の強度を弱めるための光学フィルタである。図３は、光学フィルタの透過率特性を示す説明図である。光学フィルタ６０は、図３（ａ）に示すように、青および赤の色光をほぼ１００（％）透過させ、緑の色光を約７５（％）透過させる透過率特性を有している。
【００５０】
本実施例において、光学フィルタは、スクリーンＳＣへの投写光のうちの緑の色光の強度を弱めるものであるから、このような透過率特性を有する光学フィルタを、投写光学系５０の中のいくつかの箇所のうちのいずれかに装着することができる。例えば、図３（ａ）に示した透過率特性を有する光学フィルタ６０を、投写レンズ５４に装着する代わりに、例えば、照明光学系１００と色光分離光学系２００との間に装着するようにしてもよい（図２の６０Ａ）。
【００５１】
また、光学フィルタ６０を投写レンズ５４に装着する代わりに、例えば、図３（ｂ）に示した透過率特性を有する光学フィルタ６０Ｂを、２つのダイクロイックミラー２１０，２１２の間に装着するようにしてもよい。ダイクロイックミラー２１０を反射した色光は、赤色成分を含んでいない。従って、図３（ｂ）に実線Ｔ２および一点鎖線Ｔ３で示すように、青の色光をほぼ１００（％）、緑の色光を約７５（％）透過させる光学フィルタ６０Ｂを用いることによって、図３（ａ）に示した光学フィルタ６０を用いた場合と同様な投写光を得ることができる。
【００５２】
また、光学フィルタ６０を投写レンズ５４に装着する代わりに、例えば、図３（ｃ）に示した透過率特性を有する光学フィルタ６０Ｃを、ダイクロイックミラー２１２とフィールドレンズ３１４との間に装着するようにしてもよい。ダイクロイックミラー２１２を反射した色光は、赤色成分および青色成分を含んでいない。従って、実線Ｔ４および一点鎖線Ｔ５で示すように、緑の色光を約７５（％）透過させる光学フィルタ６０Ｃを用いることによって、図３（ａ）に示した光学フィルタ６０を用いた場合と同様な投写光を得ることができる。なお、図３（ａ）に示した透過率特性を有する光学フィルタは、光学フィルタ６０Ａ，６０Ｂ，６０Ｃのうちのいずれの箇所に装着してもよい。ただし、光学フィルタ６０は、投写レンズ５４の外部に着脱可能とすることが好ましい。こうすることによって、プロジェクタ１０の内部構成をコンパクトにすることができる。また、ユーザが光学フィルタ６０を容易に着脱することができる。
【００５３】
なお、本実施例において、光学フィルタ６０について、緑の色光の透過率を約７５（％）としているのは、本実施例のプロジェクタ１０が光源ランプとして図１０に示した発光スペクトルを有する超高圧水銀ランプ５６を用いており、また、発明者が、緑の色光の透過率を赤および青の色光の透過率よりも約２５（％）低くすることによって投写画像における輝度をある程度確保しつつ、Ｒ，Ｇ，Ｂの色バランスを良好に調整できることを見出したからである。従って、各波長領域における透過率は、光源ランプの種類や、光学系の特性に応じて任意に設定可能である。
【００５４】
図４は、プロジェクタ１０によって全白および全黒の画像を投写したときの投写光のスペクトルを示す説明図である。実線ＷＮは、光学フィルタ６０を装着していないときに全白の画像を投写したときの投写光のスペクトルであり、一点鎖線ＷＦは、光学フィルタ６０を装着したときに全白の画像を投写したときの投写光のスペクトルである。また、実線ＢＮは、光学フィルタ６０を装着していないときに全黒の画像を投写したときの投写光のスペクトルであり、一点鎖線ＢＦは、光学フィルタ６０を装着したときの全黒の画像を投写したときの投写光のスペクトルである。図示するように、光学フィルタ６０を装着することによって、全白の画像を投写したときの緑色成分のスペクトル強度を、光学フィルタ６０を装着しない場合の約７５（％）に弱めるとともに、全黒の画像を投写したときの緑色成分のスペクトル強度も、光学フィルタ６０を装着しない場合の約７５（％）に弱めることができる。こうすることによって、全黒の画像を投写したときの明るさを、光学フィルタ６０を装着しないときの明るさよりも暗くすることができる。また、全黒の画像を投写したときに、黒が緑みの黒で表現されてしまうという従来の課題を解消することもできる。
【００５５】
Ｃ．画像処理：
プロジェクタ１０は、先に説明したように、受信した画像信号に応じて、更に、光学フィルタ６０が装着されているか否かに応じて、ルックアップテーブルを切換えて色補正処理を実行する。
【００５６】
図５は、各ルックアップテーブルに記録されるトーンカーブの一例を示す説明図である。トーンカーブは、Ｒ，Ｇ，Ｂ各色について用意されているが、ここでは、緑の画像データについてのトーンカーブのみを示す。実線ＴＣ１は、レシーバ１２がパーソナルコンピュータ等の情報端末から画像信号を受信し、かつ、光学フィルタ６０が装着されていないときに用いるトーンカーブである。このトーンカーブＴＣ１は、投写画像の明るさを重視したトーンカーブである。一点鎖線ＴＣ２は、レシーバ１２がＡＶ機器等から映像信号を受信し、かつ、光学フィルタ６０が装着されていないときに用いるトーンカーブである。このトーンカーブＴＣ２は、投写画像の色バランスを重視したトーンカーブである。ただし、この場合は、先に図１１を用いて説明したように、コントラスト比の低下を招く。二点鎖線ＴＣ３は、レシーバ１２が受信した画像信号に関わらず、光学フィルタ６０が装着されているときに用いるトーンカーブである。このトーンカーブＴＣ３は、色バランスを重視したトーンカーブである。トーンカーブＴＣ２において、入力階調値が２５５のときに出力階調値がＤｎであるのに対し、トーンカーブＴＣ３において、入力階調値が２５５のときに出力階調値がＤｎよりも大きいＤｆであるのは、両者において全白の投写画像の明るさが等しくなるようにするためである。これらのトーンカーブＴＣ１，ＴＣ２，ＴＣ３は、それぞれルックアップテーブルＬＵＴ１，ＬＵＴ２，ＬＵＴ３に記録されている。なお、ここで示した各トーンカーブは一例にすぎず、任意に設定可能である。例えば、図中では、入力階調値と出力階調値との関係が線形の場合を示したが、非線形であってもよい。このようなルックアップテーブルを用いて色補正処理を実行することにより、投写画像における色再現性を向上させることができる。
【００５７】
図６は、Ｒ，Ｇ，Ｂの入力階調値が等しいグレー階調の画像を投写するときの入力階調値と明るさとの関係を示す説明図である。実線Ｌ１は、光学フィルタ６０を装着せず、トーンカーブＴＣ１を用いたときの入力階調値と明るさとの関係を示している。この場合、全白の画像の明るさがＢ１であり、全黒の画像の明るさがＢ０であるので、コントラスト比は、Ｂ１／Ｂ０である。一点鎖線Ｌ２は、光学フィルタ６０を装着せずに、トーンカーブＴＣ２を用いたときの入力階調値と明るさとの関係を示している。この場合、全白の画像の明るさがＢ２であり、全黒の画像の明るさがＢ０であるので、コントラスト比はＢ２／Ｂ０である。二点鎖線Ｌｆは、光学フィルタ６０を装着して、トーンカーブＴＣ３を用いたときの入力階調値と明るさとの関係を示している。この場合、全白の画像の明るさがＢ２であり、全黒の画像の明るさがＢ０ｆであるので、コントラスト比は、Ｂ２／Ｂ０ｆである。図示したように、Ｂ０ｆ＜Ｂ０であるので、Ｂ２／Ｂ０ｆ＞Ｂ２／Ｂ０である。このように、光学フィルタ６０を装着して、トーンカーブＴＣ３を用いることによって、色バランスを重視したときのコントラスト比の低下を抑制することができる。
【００５８】
図７は、第１実施例における画像処理ルーチンを示すフローチャートである。画像処理部２０が実行する処理である。まず、原画像データを入力する（ステップＳ１００）。次に、光学フィルタ６０が装着されているか否かを検出する（ステップＳ１１０）。そして、原画像データが情報端末から受信した画像信号に基づいたデータであるか、ＡＶ機器等から受信した映像信号に基づいたデータであるか、更に、光学フィルタ６０が装着されているか否かに応じて、ルックアップテーブルを選択する（ステップＳ１２０）。そして、先に説明した条件に従って、それぞれルックアップテーブルＬＵＴ１，ＬＵＴ２，ＬＵＴ３を設定する（ステップＳ１３０，Ｓ１４０，Ｓ１５０）。そして、設定されたルックアップテーブルを用いて色補正処理を実行する（ステップＳ１５０）。そして、画像処理ルーチンを終了する。
【００５９】
第１実施例のプロジェクタ１０によれば、ＡＶ機器等から受信した映像信号に基づいて投写された映像を鑑賞するときに、光学フィルタ６０を用いることができるので、コントラスト比の低下を抑制することができる。更に、光学フィルタ６０が装着されているか否かに応じて、画像データに対して適切に色補正処理を施すことができるので、投写画像の色再現性を向上させることができる。
【００６０】
Ｄ．第２実施例：
第１実施例のプロジェクタ１０では、入力された画像データが、情報端末から受信した画像信号に基づいたデータであるか、ＡＶ機器等から受信した映像信号に基づいたデータであるか、更に、光学フィルタ６０が装着されているか否かに応じてルックアップテーブルを切換えて色補正処理を施した。第２実施例では、交換可能な投写レンズの種類に応じて画像処理に用いられるパラメータを切換える。
【００６１】
図８は、本発明の第２実施例としてのプロジェクタ１０Ａの概略構成を示す説明図である。プロジェクタ１０Ａは、第１実施例のプロジェクタ１０と同様に、レシーバ１２と、画像処理部２０Ａと、液晶パネル駆動部３０と、液晶パネル３２と、投写光学系５０Ａとを備えている。ただし、投写光学系５０Ａは、投写レンズとして超広角レンズ５４Ａを備えている。そして、この超広角レンズ５４Ａは、プロジェクタ１０Ａの設置条件に応じて、図示しない通常の投写レンズや、望遠レンズと交換可能である。なお、これらの交換可能な投写レンズは、それぞれ焦点距離等の光学特性を特定するための特定情報部７０Ａ備えている。
【００６２】
画像処理部２０Ａは、特定情報入力部２２Ａと、画像処理制御部２４Ａと、記憶部２６Ａとを備えている。特定情報入力部２２Ａは、超広角レンズ５４Ａ等、各種投写レンズが装着されているときに、特定情報部７０Ａから特定情報を自動取得する。ユーザが投写レンズに関する特定情報を入力するためのスイッチを設け、このスイッチによって特定情報を手動で入力するようにしてもよい。
【００６３】
記憶部２６Ａは、画像処理に用いられ、投写レンズの種類に応じて使い分けるための各種パラメータを記憶している。このパラメータとしては、例えば、シャープネス調整、輝度調整、コントラスト調整などの画質調整に用いられるパラメータが挙げられる。投写レンズを交換は、主として、プロジェクタ１０ＡからスクリーンＳＣまでの投写距離の変更によって行われる。そして、投写レンズの交換によって焦点距離が変更されると、シャープネス調整に関する好ましいパラメータが変わる。例えば、超広角レンズ５４Ａを用いた場合、投写画像は、通常の投写レンズを用いた場合よりもぼやけた画像となりやすい。従って、本実施例では、記憶部２６Ａは、投写レンズの種類、つまり、特定情報に応じたシャープネス調整に関するパラメータのセットを記憶している。即ち、記憶部２６Ａは、通常の投写レンズ用のパラメータセット１と、超広角レンズ５４Ａ用のパラメータセット２と、望遠レンズ用のパラメータセット３とを記憶している。例えば、超広角レンズ５４Ａ用のパラメータセット２は、パラメータセット１よりも強くシャープネス調整を施すパラメータを有している。画像処理制御部２４Ａは、特定情報に応じてこれらのパラメータセットを使い分ける。
【００６４】
図９は、第２実施例における画像処理ルーチンを示すフローチャートである。画像処理部２０Ａが実行する処理である。まず、原画像データを入力する（ステップＳ２００）。次に、特定情報を取得し、投写レンズを検出する（ステップＳ２１０）。そして、投写レンズの種類を特定する（ステップＳ２２０）。ステップＳ２２０において、投写レンズが通常の投写レンズであれば、パラメータセット１を選択し、設定する（ステップＳ２３０）。投写レンズが超広角レンズ５４Ａであれば、パラメータセット２を選択し、設定する（ステップＳ２４０）。投写レンズが望遠レンズであれば、パラメータセット３を選択し、設定する（ステップＳ２５０）。そして、設定されたパラメータセットを用いて各種画像処理を実行する（ステップ２６０）。そして、画像処理ルーチンを終了する。
【００６５】
第２実施例のプロジェクタ１０Ａによれば、投写レンズを交換したときに、その光学特性に応じて、画像処理に用いられるパラメータを切換えることができるので、画像データに対して適切な画像処理を施すことができる。この結果、投写画像の画質を向上させることができる。
【００６６】
Ｅ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形例が可能である。
【００６７】
Ｅ１．変形例１：
上記第１実施例では、光学フィルタ６０が装着されているか否かに応じてルックアップテーブルを使い分けるようにしたが、更に多くのルックアップテーブルを使い分けるようにしてもよい。例えば、透過率特性の異なる光学フィルタを用い、それらに応じてルックアップテーブルを切換えるようにしてもよい。この場合、各光学フィルタには、それぞれ特性を特定するための特定情報部を備えることが好ましい。この特定情報部としては、例えば、ＩＣチップや、光学フィルタごとに固有の配列で設けられた電極などを用いることができる。
【００６８】
また、ルックアップテーブルの使い分けに限らず、他の画像処理に用いられるパラメータを使い分けるようにしてもよい。
【００６９】
また、上記実施例では、Ｒ，Ｇ，Ｂのそれぞれについて、ルックアップテーブルを用意したが、投写光におけるスペクトル強度を低減させた緑（Ｇ）についてだけ用意するようにしてもよい。
【００７０】
Ｅ２．変形例２：
上記実施例では、画像処理部は、特定情報部から取得した特定情報に応じて、記憶部に予め用意された画像処理に用いられるパラメータを使い分けて画像処理を行ったが、これに限られない。例えば、特定情報部に画像処理に用いられるパラメータを記憶するメモリを備えるようにし、画像処理部は、このメモリから読み出したパラメータを用いて画像処理を実行するようにしてもよい。
【００７１】
Ｅ３．変形例３：
上記第２実施例では、投写レンズの交換に応じてシャープネス調整に用いられるパラメータを切換えて画像処理を行ったが、これに限られない。本発明は、一般に、投写光学系の光学特性を変更する光学部材の着脱に応じた画像処理を施すものであるから、他の光学部材（投写レンズ以外のレンズや、プリズム、フィルタ等）の着脱に応じて、投写画像の画質を向上させる適切な画像処理を行うようにしてもよい。
【００７２】
Ｅ４．変形例４：
上記第２実施例では、透過型液晶パネルを利用したプロジェクタの構成について説明したが、本発明は、他のタイプのプロジェクタにも適用可能である。他のタイプのプロジェクタとしては、反射型液晶パネルを利用したものや、ディジタル・マイクロミラー・デバイス（商標）を用いたものなどがある。
【図面の簡単な説明】
【００７３】
【図１】本発明の第１実施例としてのプロジェクタ１０の概略構成を示す説明図である。
【図２】プロジェクタ１０の投写光学系５０の構成を示す説明図である。
【図３】光学フィルタの透過率特性を示す説明図である。
【図４】プロジェクタ１０によって全白および全黒の画像を投写したときの投写光のスペクトルを示す説明図である。
【図５】各ルックアップテーブルに記録されるトーンカーブの一例を示す説明図である。
【図６】Ｒ，Ｇ，Ｂの入力階調値が等しいグレー階調の画像を投写するときの入力階調値と明るさとの関係を示す説明図である。
【図７】第１実施例における画像処理ルーチンを示すフローチャートである。
【図８】本発明の第２実施例としてのプロジェクタ１０Ａの概略構成を示す説明図である。
【図９】第２実施例における画像処理ルーチンを示すフローチャートである。
【図１０】超高圧水銀ランプの発光スペクトルを示す説明図である。
【図１１】Ｒ，Ｇ，Ｂの入力階調値が等しいグレー階調の画像を投写するときの入力階調値と明るさとの関係を示す説明図である。
【符号の説明】
【００７４】
１０，１０Ａ...プロジェクタ
１２...レシーバ
２０，２０Ａ...画像処理部
２２，２２Ａ...特定情報入力部
２４，２４Ａ...画像処理制御部
２６，２６Ａ...記憶部
３０...液晶パネル駆動部
３２...液晶パネル
５０，５０Ａ...投写光学系
５２...照明装置
５４...投写レンズ
５４Ａ...超広角レンズ
５６...超高圧水銀ランプ
５８...放物面鏡
６０，６０Ａ，６０Ｂ，６０Ｃ...光学フィルタ
７０，７０Ａ...特定情報部
１００...照明光学系
１２０...第１のレンズアレイ
１４０...第２のレンズアレイ
１６０...偏光変換素子
２００...色光分離光学系
２２０...リレー光学系
２１０，２１２...ダイクロイックミラー
２１４，２２２，２２４...反射ミラー
２２６...入射レンズ
２２８...リレーレンズ
３１２，３１４，３１６...フィールドレンズ
３２２，３２４，３２６...液晶ライトバルブ
５２０...クロスダイクロイックプリズム
５４０...投写レンズ系
【図１】
2005301317.tif 000003
【図２】
2005301317.tif 000004
【図３】
2005301317.tif 000005
【図４】
2005301317.tif 000006
【図５】
2005301317.tif 000007
【図６】
2005301317.tif 000008
【図７】
2005301317.tif 000009
【図８】
2005301317.tif 000010
【図９】
2005301317.tif 000011
【図１０】
2005301317.tif 000012
【図１１】
2005301317.tif 000013
【手続補正書】
【提出日】平成17年8月8日(2005.8.8)
【手続補正１】
【補正対象書類名】特許請求の範囲
【補正対象項目名】全文
【補正方法】変更
【補正の内容】
【特許請求の範囲】
【請求項１】
画像を投写するプロジェクタであって、
入力された原画像データに対して画像処理を施す画像処理部と、
前記画像処理が施された画像データに基づいて画像を形成する画像形成部と、
前記画像形成部に形成された画像を投写する投写光学系と、
前記投写光学系に着脱可能であって、該投写光学系の投写範囲を変更する作用を有する投写レンズと、を備え、
前記画像処理部は、前記投写レンズの着脱に伴う前記投写光学系の光学特性の変化に応じたシャープネス調整処理を施す、
プロジェクタ。
【手続補正２】
【補正対象書類名】明細書
【補正対象項目名】００１０
【補正方法】変更
【補正の内容】
【００１０】
また、上述した色バランスの調整では、黒あるいは低階調の投写画像においては、色バランスの調整が不十分だった。例えば、上述した色バランスの調整を行った場合でも、投写画像において黒を表現するときには、調整を行わない場合と明るさが同じであり、照明光の緑色成分を多く利用するので、黒が緑みのグレーで表現されてしまっていた。
また、超広角レンズ等の投写範囲を変更する作用を有する投写レンズを投写光学系に着脱すると、投写光学系の光学特性、例えば、投写範囲や焦点距離が変わり、好ましいシャープネス調整の程度も変わる。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】変更
【補正の内容】
【００２７】
上述の課題の少なくとも一部を解決するため、本発明では、以下の構成を採用した。
本発明のプロジェクタは、
画像を投写するプロジェクタであって、
入力された原画像データに対して画像処理を施す画像処理部と、
前記画像処理が施された画像データに基づいて画像を形成する画像形成部と、
前記画像形成部に形成された画像を投写する投写光学系と、
前記投写光学系に着脱可能であって、該投写光学系の投写範囲を変更する作用を有する投写レンズと、を備え、
前記画像処理部は、前記投写レンズの着脱に伴う前記投写光学系の光学特性の変化に応じたシャープネス調整処理を施すことを要旨とする。
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】変更
【補正の内容】
【００３０】
投写範囲を変更する作用を有する投写レンズとしては、例えば、超広角レンズなどが挙げられる。投写レンズの交換は、プロジェクタからスクリーンまでの投写距離の変更によって行われる。投写レンズの交換によって、投写光学系の光学特性、例えば、投写範囲や焦点距離が変わると、好ましいシャープネス調整の程度も変わる。本発明のプロジェクタでは、投写レンズの交換により投写光学系の光学特性が変化したときに、それに応じて適切にシャープネス調整を施すことができる。
【手続補正２２】
【補正対象書類名】明細書
【補正対象項目名】００３１
【補正方法】変更
【補正の内容】
【００３１】
本発明のプロジェクタにおいて、
前記画像処理部は、
前記投写レンズに応じて前記シャープネス調整処理に用いられるパラメータを記憶する記憶部と、
前記投写レンズを特定するための特定情報を入力する特定情報入力部と、
前記特定情報に応じて前記パラメータを切換えるための画像処理制御部と、
を備えるようにすることができる。
【手続補正２３】
【補正対象書類名】明細書
【補正対象項目名】００３２
【補正方法】変更
【補正の内容】
【００３２】
こうすることによって、特定情報によって投写レンズを特定し、これに応じて適切なシャープネス調整処理を施すことができる。
【手続補正２４】
【補正対象書類名】明細書
【補正対象項目名】００３３
【補正方法】変更
【補正の内容】
【００３３】
本発明のプロジェクタにおいて、特定情報入力部への特定情報の入力は、手動で行うものとしてもよいが、
前記投写レンズは、前記特定情報を保持する特定情報部を備えており、
前記画像処理制御部は、前記特定情報部から取得した特定情報に基づいて前記パラメータを切換えるようにすることが好ましい。
【手続補正２５】
【補正対象書類名】明細書
【補正対象項目名】００３４
【補正方法】変更
【補正の内容】
【００３４】
こうすることによって、特定情報入力部は、投写レンズの特定情報部から自動的に特定情報を取得し、画像処理制御部は、これに基づいて、パラメータを切換えるようにすることができる。この結果、プロジェクタの利便性を向上させることができる。